(57)【要約】  限られた配線スペースに、より多くの外部接続ケーブルを配置し、効率的に支持することができるケーブル支持機構を有するコントロールセンタを提供する。ケーブル支持機構は、互いに平行な状態で水平方向に一列に並べられた複数の外部接続ケーブル（７）を支持する、水平方向に延びる棒状の棒状支持部を有し、棒状支持部は、支持する外部接続ケーブル（７）の列が互いに異なる複数種類の棒状支持部（２０、２１）から構成され、各種類の棒状支持部（２０、２１）は、複数設けられ、上下方向に間隔を空けて配置されているコントロールセンタ。
2018122941.tif 000002
【特許請求の範囲】
【請求項１】
フレームと、
上下方向に複数段に配置され、前記フレームに固定された複数の機能ユニットと、
上下方向に延びて、前記複数の機能ユニットのそれぞれと外部機器とを接続する複数の外部接続ケーブルと、
前記フレームに固定され、前記外部接続ケーブルを支持するケーブル支持機構と、を備えたコントロールセンタであって、
前記ケーブル支持機構は、互いに平行な状態で水平方向に一列に並べられた複数の前記外部接続ケーブルを支持する、水平方向に延びる棒状の棒状支持部を有し、
前記棒状支持部は、支持する前記外部接続ケーブルの列が互いに異なる複数種類の前記棒状支持部から構成され、各種類の前記棒状支持部は、複数設けられ、上下方向に間隔を空けて配置されているコントロールセンタ。
【請求項２】
前記ケーブル支持機構は、各種類の前記棒状支持部をそれぞれ１つずつ有する複数種類のケーブル支持部材から構成され、各種類の前記ケーブル支持部材は、複数設けられ、上下方向に互いに間隔を空けて互いに違いに配置されている請求項１に記載のコントロールセンタ。
【請求項３】
前記ケーブル支持機構は、全ての種類の前記棒状支持部を有する１種類のケーブル支持部材から構成され、前記ケーブル支持部材は、複数設けられ、上下方向に間隔を空けて配置されている請求項１に記載のコントロールセンタ。
【請求項４】
前記１種類のケーブル支持部材は、複数の前記棒状支持部のそれぞれを構成する複数の棒状支持部材と、複数の前記棒状支持部材の間を連結する複数の連結部材と、が締結部材により連結されて構成されている請求項３に記載のコントロールセンタ。
【請求項５】
各種類の前記棒状支持部は、上下方向に見た場合に、水平方向に互いに間隔が空き、平行になるように配置され、
上下方向に見た場合に、隣り合う２つの前記棒状支持部の間になる空間に、隣り合う一方の前記棒状支持部が支持する前記外部接続ケーブルの列と、隣り合う他方の前記棒状支持部が支持する前記外部接続ケーブルの列と、が配置されている請求項１から４のいずれか一項に記載のコントロールセンタ。
【請求項６】
前記隣り合う一方の前記棒状支持部が支持する列の前記外部接続ケーブルと、前記隣り合う他方の前記棒状支持部が支持する列の前記外部接続ケーブルとは、上下方向に見た場合に、前記棒状支持部の延出方向に互いに間隔を空けて互い違いに配置されている請求項５に記載のコントロールセンタ。
【請求項７】
前記棒状支持部は、両側で異なる前記外部接続ケーブルの列を支持し、
前記棒状支持部が一方側で支持する列の前記外部接続ケーブルと、前記棒状支持部が他方側で支持する列の前記外部接続ケーブルとは、上下方向に見た場合に、前記棒状支持部の延出方向に互い違いに配置されている請求項６に記載のコントロールセンタ。
【請求項８】
前記外部接続ケーブルは、前記機能ユニットのそれぞれに接続される複数本の前記外部接続ケーブルがひとまとまりの束状にされた前記外部接続ケーブルの束の単位で、一列に並べられ、前記棒状支持部に支持されている請求項１から７のいずれか一項に記載のコントロールセンタ。
【請求項９】
前記外部機器は、三相交流モータであり、
１つの前記機能ユニットは、１つの前記三相交流モータを駆動制御するインバータを有し、
前記外部接続ケーブルは、１つの前記機能ユニットの前記インバータと１つの前記三相交流モータの三相コイルとを接続する３本又は４本の前記外部接続ケーブルがひとまとまりの束状された前記外部接続ケーブルの束の単位で、一列に並べられ、前記棒状支持部に支持されている請求項８に記載のコントロールセンタ。
【発明の詳細な説明】
【技術分野】
【０００１】
この発明は、外部機器にケーブルによって接続される複数の機能ユニットを備えたコントロールセンタに関するものである。
【背景技術】
【０００２】
上記のようなコントロールセンタに関連して、下記の特許文献１及び特許文献２に記載された装置が知られている。特許文献１の技術では、複数段に配置された真空遮断器２Ａ〜２Ｄの隣に、真空遮断器２Ａ〜２Ｄに接続されるケーブル４Ａ〜４Ｄを配線するためのケーブル配線スペースが設けられている。ケーブル４Ａ〜４Ｄは、ケーブル配線スペース内において、真空遮断器２Ａ〜２Ｄに接続するためのケーブル接続箱５Ａ〜５Ｄに接続されると共に、複数のケーブル支え８により支持されて、上下方向に延びている。【０００３】
特許文献２の技術では、複数段に配置された電気機器１２の隣に、電気機器１２に接続されるケーブル２０を配線するためのケーブル配線スペースが設けられている。ケーブル２０は、ケーブル配線スペース内において、複数のケーブルサポート２５により支持されて、上下方向に延びている。
【先行技術文献】
【特許文献】
【０００４】
【特許文献１】特開平９−５１６０７号公報
【特許文献２】特公昭６０−１３３６４号公報
【発明の概要】
【発明が解決しようとする課題】
【０００５】
近年、コントロールセンタに実装される機能ユニットが小型化されており、コントロールセンタに、より多くの機能ユニットを実装可能になっている。一方、機能ユニットに接続される外部接続ケーブルの数が増加するため、外部接続ケーブルの配線スペースが増加する問題が生じる。また、単に、コントロールセンタを小型化する要求もある。そこで、コントロールセンサの小型化を実現するためには、限られた配線スペースに、より多くの外部接続ケーブルを配置し、効率的に支持することができるケーブル支持機構が求められる。【０００６】
しかしながら、特許文献１の技術では、１つのケーブル支え８により、１つのケーブルを支持するように構成されており、１つのケーブル支え８により、複数のケーブルをまとめて支持するようには構成されていない。また、上下２段の２つの真空遮断器に接続された複数のケーブルが、下側において一列に並べられているが、同じ高さにおいて、半分のケーブルがケーブル支え８により支持されているだけで、全てのケーブルが支持されていない。これは、一方の真空遮断器に接続されたケーブルの間に、他方の真空遮断器に接続されたケーブルを配置していることによると考えられる。また、特許文献１の技術では、一列に並べられる複数のケーブルは、上下２段の２つの真空遮断器に接続されるケーブルに限定されている。従って、特許文献１の技術では、限られた配線スペースに、より多くのケーブルを配置し、効率的に支持することが容易でない。【０００７】
特許文献２の技術では、各段の電気機器１２に接続された３本のケーブルがまとめられて、１つのケーブルサポート２５により支持されるように構成されており、１つのケーブルサポート２５により、複数のケーブルの束をまとめて支持するようには構成されていない。また、特許文献２の技術では、複数のケーブルサポート２５が、１つの平面上に配置されており、配置できるケーブルサポート２５の数、ケーブルの数には限界があると考えられる。従って、特許文献２の技術では、限られた配線スペースに、より多くのケーブルを配置し、効率的に支持することが容易でない。【０００８】
そこで、限られた配線スペースに、より多くの外部接続ケーブルを配置し、効率的に支持することができるケーブル支持機構を有するコントロールセンタが求められる。
【課題を解決するための手段】
【０００９】
本発明に係るコントロールセンタは、フレームと、上下方向に複数段に配置され、前記フレームに固定された複数の機能ユニットと、上下方向に延びて、前記複数の機能ユニットのそれぞれと外部機器とを接続する複数の外部接続ケーブルと、前記フレームに固定され、前記外部接続ケーブルを支持するケーブル支持機構と、を備えたコントロールセンタであって、前記ケーブル支持機構は、互いに平行な状態で水平方向に一列に並べられた複数の前記外部接続ケーブルを支持する、水平方向に延びる棒状の棒状支持部を有し、前記棒状支持部は、支持する前記外部接続ケーブルの列が互いに異なる複数種類の前記棒状支持部から構成され、各種類の前記棒状支持部は、複数設けられ、上下方向に間隔を空けて配置されているものである。
【発明の効果】
【００１０】
本発明に係るコントロールセンタによれば、一列に並べられた複数の外部接続ケーブルを、棒状支持部により効率的に支持することができる。さらに、外部接続ケーブルを複数列に配置することができ、各列の外部接続ケーブルを、対応する種類の棒状支持部により効率的に支持することができる。よって、限られた空間に、より多くの外部接続ケーブルを配置して、効率的に支持することができる。また、各種類の棒状支持部が、複数設けられ、上下方向に間隔を空けて配置されているので、上下方向に延びる複数の外部接続ケーブルを、上下方向に分散配置された各種類の棒状支持部により安定的に支持することができる。
【図面の簡単な説明】
【００１１】
【図１】本発明の実施の形態１に係るコントロールセンタを前側から見た正面図である。
【図２】図１のＡ−Ａ断面位置において切断し、左側に見た断面図である。
【図３】図１のＢ−Ｂ断面位置において切断し、下側に見た断面図である。
【図４】図３のＸ部を拡大した要部拡大図である。
【図５】本発明の実施の形態１に係る第１型のケーブル支持部材の斜視図である。
【図６】本発明の実施の形態１に係る第２型のケーブル支持部材の斜視図である
【図７】本発明の実施の形態１の変形形態に係るコントロールセンタの要部拡大図である。
【図８】本発明の実施の形態１の変形形態に係るコントロールセンタの要部拡大図である。
【図９】本発明の実施の形態１の変形形態に係るコントロールセンタの要部拡大図である。
【図１０】本発明の実施の形態２に係るコントロールセンタを前側から見た正面図である。
【図１１】図１０のＣ−Ｃ断面位置において切断し、左側に見た断面図である。
【図１２】図１０のＤ−Ｄ断面位置において切断し、下側に見た断面図である。
【図１３】図１２のＹ部を拡大した要部拡大図である。
【図１４】本発明の実施の形態２に係るケーブル支持部材の斜視図である。
【図１５】本発明の実施の形態３に係るコントロールセンタの要部拡大図である。
【図１６】本発明の実施の形態３に係るケーブル支持部材の組み立てた状態の斜視図である。
【図１７】本発明の実施の形態３に係るケーブル支持部材の分解した状態の斜視図である。
【図１８】本発明の比較に係るコントロールセンタを前側から見た正面図である。
【図１９】図１８のＥ−Ｅ断面位置において切断し、左側に見た断面図である。
【図２０】図１８のＦ−Ｆ断面位置において切断し、下側に見た断面図である。
【図２１】図２０のＺ部を拡大した要部拡大図である。
【発明を実施するための形態】
【００１２】
１．実施の形態１
実施の形態１に係るコントロールセンタについて図面を参照して説明する。図１は、前側から見たコントロールセンタの正面図であり、図２は、図１のＡ−Ａ断面位置において切断し、水平方向（左側）に見た断面図であり、図３は、図１のＢ−Ｂ断面位置において切断し、上下方向（下側）に見た断面図である。図４は、図３のＸ部を拡大した要部拡大図である。図５は、第１型のケーブル支持部材９の斜視図であり、図６は、第２型のケーブル支持部材１０の斜視図である。ここで、右、左は、コントロールセンタを正面側（前側）から見た場合の右、左であるものとする。
【００１３】
コントロールセンタは、コントロールセンタの各構成部品を支持するフレーム１を備えている。本実施の形態では、コントロールセンタは、外形が直方体状とされている。フレーム１は、直方体の各辺、各機能ユニット２の支持部等を構成するアングル材、角パイプ等のフレーム部材とされている。
【００１４】
コントロールセンタは、複数の機能ユニット２（本例では９つ）を備えている。複数の機能ユニット２は、上下方向に複数段（本例では９段）に配置され、フレーム１に固定されている。本実施の形態では、各機能ユニット２は、外形が同じ直方体状とされ、上下方向に一列に並べられている。複数の機能ユニット２の配置スペース３は、全体として上下方向に長い直方体状の空間となっており、空間の各辺が、前後方向、左右方向、又は上下方向に平行になっている。各機能ユニット２の正面側（前側）の面には、電源スイッチ、コントロールパネル等が設けられている。各機能ユニット２は、外部機器を監視・制御する制御装置である。外部機器は、例えば、プラント、社会インフラ等の電気設備とされる。コントロールセンタは、プラント、社会インフラ等の各電気設備を集中的に監視・制御する。本実施の形態では、外部機器は、三相交流モータとされており、機能ユニット２は、三相交流モータを駆動制御するインバータ、真空遮断器等を備えている。コントロールセンタは、複数の三相交流モータを集中的に監視・制御する。
【００１５】
コントロールセンタは、複数の機能ユニット２のそれぞれと外部機器とを接続する複数の外部接続ケーブル７を備えている。複数の外部接続ケーブル７は、コントロールセンタ内を上下方向に延びている。本実施の形態では、各機能ユニット２の側面（本例では右面）に接続端子６が設けられている。外部接続ケーブル７は、機能ユニット２の接続端子６に接続される接続端子３０を備えており（図４参照）、接続端子３０から側方（本例では右側）に延びた後、コントロールセンタ内を下側に延びている。そして、外部接続ケーブル７は、コントロールセンタの下側に延びた後、建物の床下等を通って、外部機器に接続される。なお、外部接続ケーブル７は、各機能ユニット２の接続端子６から側方に延びた後、コントロールセンタ内を上側に延びてもよく、外部接続ケーブル７は、コントロールセンタの上側に延びた後、建物の天井側を通って、外部機器に接続されてもよい。
【００１６】
三相交流モータは、三相３線式とされており、三相コイルの各端子とインバータとが３本の外部接続ケーブル７により接続される。各機能ユニット２の接続端子６は、３つ設けられている。外部接続ケーブル７は、機能ユニット２毎に３本ずつ備えられている。各機能ユニット２に接続される３本の外部接続ケーブル７は、図４に示すように、ナイロンバインダ等のケーブル結束部材８によって、３本がひとまとまりの束状にされ、ケーブル支持機構に固定されている。
【００１７】
本実施の形態では、外部接続ケーブル７の配線スペース４は、正面（前側）から見て、コントロールセンタ内において、機能ユニット２の配置スペース３の右側に設けられた、上下方向に長い直方体状の空間となっており、空間の各辺が、前後方向、左右方向、又は上下方向に平行になっている。なお、外部接続ケーブル７の配線スペース４は、正面から見て、機能ユニット２の配置スペースの左側、後側、又は前側に設けられてもよい。すなわち、外部接続ケーブル７の配線スペース４は、機能ユニット２の配置スペース３の側方を上下方向に延びる空間であれば、いずれの側に設けられてもよい。
【００１８】
本実施の形態では、コントロールセンタ内において、機能ユニット２の配置スペース３及び外部接続ケーブル７の配線スペース４の後側に、各機能ユニット２に電力を供給する母線を収納する直方体状の母線スペース５が設けられている。
【００１９】
コントロールセンタは、外部接続ケーブル７を支持するケーブル支持機構を備えている。ケーブル支持機構は、フレーム１に固定されている。
【００２０】
＜比較例のケーブル支持機構＞
ここで、本実施の形態と異なる比較例に係るケーブル支持機構を説明する。図１８から図２１に比較例に係るコントロールセンタを示す。比較例のケーブル支持機構は、支持する外部接続ケーブル７の列が同じになる１種類の棒状支持部６０を有する１種類のケーブル支持部材６１から構成されている。１種類の棒状支持部６０（ケーブル支持部材６１）は、複数設けられ、上下方向に間隔を空けて配置されている。
【００２１】
しかしながら、比較例のケーブル支持機構では、図２１に示すように、１種類の棒状支持部６０（ケーブル支持部材６１）に沿って、外部接続ケーブル７を一列に並べて支持しているだけなので、配線スペース４に配置できる外部接続ケーブル７の数が制限される。また、機能ユニット２が小型化されても、それに伴って、配線スペース４を小型化することが難しく、装置全体の小型化を図ることが容易でない。そこで、配線スペース４を有効利用して、より多くの外部接続ケーブル７を配置し、支持することができるケーブル支持機構が求められる。
【００２２】
＜本実施の形態のケーブル支持機構＞
そこで、本実施の形態では、ケーブル支持機構は、互いに平行な状態で水平方向に一列に並べられた複数の外部接続ケーブル７を支持する、水平方向に延びる棒状の棒状支持部を有している。そして、棒状支持部は、支持する外部接続ケーブル７の列が互いに異なる複数種類の棒状支持部から構成され、各種類の棒状支持部は、複数設けられ、上下方向に間隔を空けて配置されている。本実施の形態では、ケーブル支持機構は、第１列の外部接続ケーブル７を支持する第１型の棒状支持部２０と、及び第２列の外部接続ケーブル７を支持する第２型の棒状支持部２１の２種類の棒状支持部から構成されており、第１型の棒状支持部２０及び第２型の棒状支持部２１のそれぞれは、複数設けられ、上下方向に間隔を空けて配置されている。
【００２３】
この構成によれば、一列に並べられた複数の外部接続ケーブル７を、棒状支持部により効率的に支持することができる。さらに、外部接続ケーブル７を複数列に配置することができ、各列の外部接続ケーブル７を、対応する種類の棒状部材により効率的に支持することができる。よって、限られた空間に、より多くの外部接続ケーブル７を配置して、効率的に支持することができる。また、各種類の棒状支持部が、複数設けられ、上下方向に間隔を空けて配置されているので、上下方向に延びる複数の外部接続ケーブル７を、上下方向に分散配置された各種類の棒状支持部により安定的に支持することができる。
【００２４】
ケーブル支持機構は、各種類の棒状支持部をそれぞれ１つずつ有する複数種類のケーブル支持部材から構成され、各種類のケーブル支持部材は、複数設けられ、上下方向に間隔を空けて互いに違いに配置されている。本実施の形態では、ケーブル支持機構は、第１型の棒状支持部２０を有する第１型のケーブル支持部材９と、第２型の棒状支持部２１を有する第２型のケーブル支持部材１０との２種類のケーブル支持部材から構成されている。第１型のケーブル支持部材９及び第２型のケーブル支持部材１０は、それぞれ複数（本例では３つずつ）設けられ、上下方向に互いに間隔を空けて互いに違い（千鳥状、ジグザグ状）に配置されている。
【００２５】
この構成によれば、各種類の棒状支持部をそれぞれ１つずつ有する複数種類のケーブル支持部材を用意することにより、各ケーブル支持部材の形状を単純化することができ、装置の低コスト化と、組み立ての容易化を図ることができる。また、各種類のケーブル支持部材が上下方向に互い違いに配置されているので、各種類のケーブル支持部材が支持する外部接続ケーブル７の列について、上下方向に分散した複数の棒状支持部材により安定的に支持することができる。
【００２６】
なお、各種類のケーブル支持部材１０は、コントロールセンタの高さ等に応じて、任意の数設けられてもよい。
【００２７】
各種類の棒状支持部は、上下方向に見た場合に、水平方向に互いに間隔が空き、平行になるように配置されている。上下方向に見た場合に、隣り合う２つの棒状支持部の間になる空間に、隣り合う一方の棒状支持部が支持する外部接続ケーブル７の列と、隣り合う他方の棒状支持部が支持する外部接続ケーブル７の列と、が配置されている。
【００２８】
本実施の形態では、図４に示すように、第１型の棒状支持部２０と第２型の棒状支持部２１とは、図４に示すように上下方向に見た場合に、水平方向に互いに間隔が空き、平行になるように配置されている。そして、上下方向に見た場合に、第１型の棒状支持部２０と第２型の棒状支持部２１との間になる空間に、第１型の棒状支持部２０が支持する第１列の外部接続ケーブル７と、第２型の棒状支持部２１が支持する第２列の外部接続ケーブル７と、が配置されている。
【００２９】
この構成によれば、上下方向に見た場合に、平行に配置される隣り合う２つの棒状支持部の間になる空間に、２つの列の外部接続ケーブル７をまとめて配置し、隣り合う２つの棒状支持部により両側から安定的に支持することができる。
【００３０】
隣り合う一方の棒状支持部が支持する列の外部接続ケーブル７と、隣り合う他方の棒状支持部が支持する列の外部接続ケーブル７とは、上下方向に見た場合に、棒状支持部の延出方向に互いに間隔を空けて互い違い（千鳥状、ジグザグ状）に配置されている。
【００３１】
本実施の形態では、第１型の棒状支持部２０は、上下方向に見た場合に、第２型の棒状支持部２１側において、互いに平行な状態で第１型の棒状支持部２０の延出方向に間隔を空けて一列に並べられた複数の外部接続ケーブル７（本例では、５つのケーブルの束）を支持している。第２型の棒状支持部２１は、上下方向に見た場合に、第１型の棒状支持部２０側において、互いに平行な状態で第２型の棒状支持部２１の延出方向に間隔を空けて一列に並べられた複数の外部接続ケーブル７（本例では、４つのケーブルの束）を支持している。第１型の棒状支持部２０が支持する第１列の外部接続ケーブル７と、第２型の棒状支持部２１が支持する第２列の外部接続ケーブル７とは、上下方向に見た場合に、第１型及び第２型の棒状支持部２０、２１の延出方向に互いに間隔を空けて互い違い（千鳥状、ジグザグ状）に配置されている。
【００３２】
この構成によれば、外部接続ケーブル７の相互の間隔を確保して、外部接続ケーブル７の温度上昇を抑制し、電力損失を抑制しつつ、２つの棒状支持部の間の空間に、より多くの外部接続ケーブル７を配置することができる。
【００３３】
外部接続ケーブル７は、機能ユニット２のそれぞれに接続される複数本の外部接続ケーブル７がひとまとまりの束状にされた外部接続ケーブル７の束の単位で、一列に並べられ、棒状支持部に支持されている。本実施の形態では、上記のように、外部接続ケーブル７は、１つの機能ユニット２のインバータと１つの三相交流モータの三相コイルとを接続する３本の外部接続ケーブル７がひとまとまりの束状された外部接続ケーブル７の束の単位で、一列に並べられ、棒状支持部に支持されている。すなわち、上下方向に見た場合に、複数の３本のケーブルの束が、互いに平行な状態で、互いに間隔を空けて一列に並べられている。各３本のケーブルは、上記のように、ナイロンバインダ等のケーブル結束部材８によって、結束されると共に第１型又は第２型の棒状支持部２０、２１に固定されている。
【００３４】
なお、各列に並べられる外部接続ケーブル７（外部接続ケーブル７の束）の数は、配置空間の広さ、外部接続ケーブル７の太さ等に応じて、任意の数にされてもよい。
【００３５】
第１型及び第２型の棒状支持部２０、２１は、上下方向に見た場合に、機能ユニット２に近い順に、第２型の棒状支持部２１、第１型の棒状支持部２０になるように配置されている。本実施の形態では、第２型の棒状支持部２１は、機能ユニット２の右側に間隔を空けて配置されており、前後方向に平行に配置されている。第１型の棒状支持部２０は、第２型の棒状支持部２１の右側に間隔を空けて配置されており、前後方向に平行に配置されている。
【００３６】
図４及び図５に示すように、第１型のケーブル支持部材９は、その両端に２つのフレーム固定部２４、２５を備えている。２つのフレーム固定部２４、２５は、機能ユニット２の配置スペース３の右端を構成するフレーム１の右側部分に固定されている。後側のフレーム固定部２４は、フレーム１に形成された穴に差し込まれている。前側のフレーム固定部２５は、フレーム１にボルト止めされている。第１型の棒状支持部２０は、２つのフレーム固定部２４、２５の間を、前後方向に延びた部分とされている。
【００３７】
図４及び図６に示すように、第２型のケーブル支持部材１０は、その両端に２つのフレーム固定部２６、２７を備えている。第２型のケーブル支持部材１０の２つのフレーム固定部２６、２７は、それぞれ、第１型のケーブル支持部材９の２つのフレーム固定部２４、２５と上下方向に見た場合に重複する位置に配置されている。後側のフレーム固定部２６は、フレーム１に形成された穴に差し込まれている。前側のフレーム固定部２７は、フレーム１にボルト止めされている。第２型のケーブル支持部材１０は、２つのフレーム固定部２６、２７のそれぞれから機能ユニット２側（左側）に延びる棒状の２つの延長部２８、２９を備えている。第２型の棒状支持部２１は、２つの延長部２８、２９の左端の間を、前後方向に延びた部分とされている。すなわち、第２型のケーブル支持部材１０は、角張ったＵ字状に形成されている。
【００３８】
或いは、棒状支持部は、両側で異なる外部接続ケーブル７の列を支持し、棒状支持部が一方側で支持する列の外部接続ケーブルと、棒状支持部が他方側で支持する列の外部接続ケーブルとは、上下方向に見た場合に、棒状支持部の延出方向に互い違いに配置されてもよい。例えば、図４に代えて図７に示すように、第２型の棒状支持部２１は、上下方向に見た場合に、第１型の棒状支持部２０とは反対側（機能ユニット２側）において、互いに平行な状態で第２型の棒状支持部２１の延出方向に間隔を空けて一列に配置された複数の外部接続ケーブル７（本例では、２つのケーブルの束）を支持するように構成されてもよい。第２型の棒状支持部２１が第１型の棒状支持部２０側で支持する第２列の外部接続ケーブル７と、第２型の棒状支持部２１が第１型の棒状支持部２０の反対側で支持する第３列の外部接続ケーブル７とは、上下方向に見た場合に、第２型の棒状支持部２１の延出方向に互い違い（千鳥状、ジグザグ状）に配置されてもよい。このように構成すれば、外部接続ケーブル７の間隔を広げる、又はより多くの外部接続ケーブル７を配置することができる。
【００３９】
また、各機能ユニット２は、３つ以外の数の接続端子６を備えており、各機能ユニット２に、３つ以外の数の外部接続ケーブル７が接続されてもよい。また、外部接続ケーブル７は、３本以外の本数に束ねられた状態で、ケーブル支持機構に固定されてよい。例えば、図８及び図９に示すように、機能ユニット２は、三相４線式の交流モータを制御するように構成され、各機能ユニット２は、４つの接続端子６を備えており、各機能ユニット２に、４本の外部接続ケーブル７が接続されてもよい。また、外部接続ケーブル７は、４本に束ねられた状態で、ケーブル支持機構に固定されてよい。
【００４０】
２．実施の形態２
次に、実施の形態２に係るコントロールセンタについて図面を参照して説明する。図１０は、前側から見たコントロールセンタの正面図であり、図１１は、図１０のＣ−Ｃ断面位置において切断し、水平方向（左側）に見た断面図であり、図１２は、図１０のＤ−Ｄ断面位置において切断し、上下方向（下側）に見た断面図である。図１３は、図１２のＹ部を拡大した要部拡大図である。図１４は、ケーブル支持部材１１の斜視図である。
【００４１】
上記の実施の形態１と同様の構成部分は説明を省略する。本実施の形態に係るコントロールセンタの基本的な構成は実施の形態１と同様であるが、ケーブル支持部材の構成が実施の形態１と異なる。
【００４２】
すなわち、本実施の形態では、ケーブル支持機構は、全ての種類の棒状支持部を有する１種類のケーブル支持部材１１から構成され、ケーブル支持部材１１は、複数設けられ、上下方向に間隔を空けて配置されている。本例では、ケーブル支持部材１１は、第１型の棒状支持部２０及び第２型の棒状支持部２１を有している。
【００４３】
この構成によれば、１種類のケーブル支持部材１１を用意するだけよく、装置の低コスト化と、組み立ての単純化を図ることができる。また、ケーブル支持部材１１が上下方向に間隔を空けて配置されているので、各外部接続ケーブル７を、上下方向に分散した複数の位置で安定的に支持することができる。
【００４４】
図１３及び図１４に示すように、第１型の棒状支持部２０と第２型の棒状支持部２１とは、水平方向に互いに間隔を空けて平行になるように配置されている。
【００４５】
ケーブル支持部材１１は、その両端に２つのフレーム固定部４０、４１を備えている。２つのフレーム固定部４０、４１は、機能ユニット２の配置スペース３の右端を構成するフレーム１の右側部分に固定されている。後側のフレーム固定部４０は、フレーム１に形成された穴に差し込まれている。前側のフレーム固定部４１は、フレーム１にボルト止めされている。第１型の棒状支持部２０は、２つのフレーム固定部４０、４１の間を、前後方向に延びた部分とされている。
【００４６】
ケーブル支持部材１１は、２つのフレーム固定部４０、４１のそれぞれから機能ユニット２側（左側）に延びる棒状の２つの延長部４２、４３を備えている。第２型の棒状支持部２１は、２つの延長部４２、４３の左端の間を、前後方向に延びた部分とされている。ケーブル支持部材１１は、矩形の筒状に形成されている。ケーブル支持部材１１は、一体形成された部材とされている。
【００４７】
第１型の棒状支持部２０と第２型の棒状支持部２１との間の空間に、第１型の棒状支持部２０が支持する第１列の外部接続ケーブル７と、第２型の棒状支持部２１が支持する第２列の外部接続ケーブル７と、が配置されている。
【００４８】
実施の形態１と同様に、第１型の棒状支持部２０は、上下方向に見た場合に、第２型の棒状支持部２１側において、互いに平行な状態で第１型の棒状支持部２０の延出方向に間隔を空けて一列に並べられた複数の外部接続ケーブル７（本例では、５つのケーブルの束）を支持している。第２型の棒状支持部２１は、上下方向に見た場合に、第１型の棒状支持部２０側において、互いに平行な状態で第２型の棒状支持部２１の延出方向に一列に並べられた外部接続ケーブル７（本例では、４つのケーブルの束）を支持している。第１型の棒状支持部２０が支持する第１列の外部接続ケーブル７と、第２型の棒状支持部２１が支持する第２列の外部接続ケーブル７とは、上下方向に見た場合に、第１型及び第２型の棒状支持部２０、２１の延出方向に互いに間隔を空けて互い違い（千鳥状、ジグザグ状）に配置されている。
【００４９】
実施の形態１と同様に、外部接続ケーブル７は、各機能ユニット２に接続される３本の外部接続ケーブル７の束の単位で配置されている。すなわち、上下方向に見た場合に、複数の３本のケーブルの束が、互いに平行な状態で、互いに間隔を空けて一列に並べられている。各３本のケーブルは、上記のように、ナイロンバインダ等のケーブル結束部材８によって、結束されると共に第１型又は第２型の棒状支持部２０、２１に固定される。
【００５０】
実施の形態１と同様に、第１型及び第２型の棒状支持部２０、２１は、機能ユニット２に近い順に、第２型の棒状支持部２１、第１型の棒状支持部２０になるように配置されている。本実施の形態では、第２型の棒状支持部２１は、機能ユニット２の右側に間隔を空けて配置されており、前後方向に平行に配置されている。第１型の棒状支持部２０は、第２型の棒状支持部２１の右側に間隔を空けて配置されており、前後方向に平行に配置されている。
【００５１】
３．実施の形態３
次に、実施の形態３に係るコントロールセンタについて図面を参照して説明する。図１５は、実施の形態１の図４、実施の形態２の図１３と同様の要部拡大図である。図１６は、本実施の形態に係るケーブル支持部材１２の組み立てた状態の斜視図であり、図１７は、本実施の形態に係るケーブル支持部材１２の分解した状態の斜視図である。
【００５２】
上記の実施の形態２と同様の構成部分は説明を省略する。本実施の形態に係るコントロールセンタの基本的な構成は実施の形態２と同様であるが、各ケーブル支持部材１２が、締結部材４４により締結された複数の部材により構成されている点が実施の形態２と異なる。
【００５３】
本実施の形態では、各ケーブル支持部材１２は、第１型の棒状支持部２０を構成する第１型の棒状支持部材４５、第２型の棒状支持部２１を構成する第２型の棒状支持部材４６、第１型の棒状支持部材４５の一端と第２型の棒状支持部材４６の一端との間を連結し、フレーム１に固定される第１の連結部材４７、第１型の棒状支持部材４５の他端と第２型の棒状支持部材４６の他端との間を連結し、フレーム１に固定される第２の連結部材４８、及び各部材の間を締結する複数の締結部材４４（本例ではボルト）を備えている。
【００５４】
この構成によれば、ケーブル支持部材１２を複数の部材を組み立てる構成にすることで、形状の単純な部材で構成することができ、装置の低コスト化を図ることができる。また、外部接続ケーブル７の組み付け順番に合わせて、ケーブル支持部材１２の各部材を組み立てることができ、組み立ての容易化を図ることができる。また、メンテナンスにおいて取り外す外部接続ケーブル７に関係する部材を分解することができるなど、メンテナンスの容易化を図ることができる。
【００５５】
第１の連結部材４７は、フレーム１の右側部分に固定されるフレーム固定部４９と、フレーム固定部４９から機能ユニット２側（左側）に延びた延長部５０と、延長部５０の左側端に設けられたフレーム固定部５１とを備えている。フレーム固定部４９は、フレーム１に形成された穴に差し込まれ、フレーム固定部５１は、フレーム１にボルト止めされる（不図示）。延長部５０に、第１型の棒状支持部材４５の一端（後側端）と第２型の棒状支持部材４６の一端（後側端）が締結部材４４により締結される。
【００５６】
第２の連結部材４８は、フレーム１の右側部分に固定されるフレーム固定部５２と、フレーム固定部５２から機能ユニット２側（左側）に延びた延長部５３と、延長部５３の左側端に設けられたフレーム固定部５４とを備えている。フレーム固定部５２は、フレーム１にボルト止めされ、フレーム固定部５４は、フレーム１にボルト止めされる（不図示）。延長部５３に、第１型の棒状支持部材４５の他端（前側端）と第２型の棒状支持部材４６の他端（前側端）が締結部材４４により締結される。
【００５７】
第１及び第２型の棒状支持部材４５、４６は、前後方向に延びる棒状の部材とされている。実施の形態２の第１型及び第２型の棒状支持部２０、２１と同様に、第１及び第２型の棒状支持部材４５、４６は、機能ユニット２に近い順に、第２型の棒状支持部材４６、第１型の棒状支持部材４５になるように配置されている。本実施の形態では、第２型の棒状支持部材４６は、機能ユニット２の右側に間隔を空けて配置されており、前後方向に平行に配置されている。第１型の棒状支持部材４５は、第２型の棒状支持部材４６の右側に間隔を空けて配置されており、前後方向に平行に配置されている。
【００５８】
第１及び第２型の棒状支持部材４５、４６が支持する外部接続ケーブル７の配置、構成は、実施の形態２の第１型及び第２型の棒状支持部２０、２１が支持する外部接続ケーブル７の配置、構成と同様であるので説明を省略する。
【００５９】
〔その他の実施の形態〕
最後に、本発明のその他の実施の形態について説明する。なお、以下に説明する各実施の形態の構成は、それぞれ単独で適用されるものに限られず、矛盾が生じない限り、他の実施の形態の構成と組み合わせて適用することも可能である。
【００６０】
（１）上記の各実施の形態においては、棒状支持部は、第１列の外部接続ケーブル７を支持する第１型の棒状支持部２０と、第２列の外部接続ケーブル７を支持する第２型の棒状支持部２１との、２種類の棒状支持部から構成されている場合を例として説明した。しかし、本発明の実施の形態はこれに限定されない。すなわち、棒状支持部は、支持する外部接続ケーブル７の列が互いに異なる３種類以上の棒状支持部から構成されてもよい。例えば、第１列の外部接続ケーブルを支持する第１型の棒状支持部と、第２列の外部接続ケーブルを支持する第２型の棒状支持部と、第３列の外部接続ケーブルを支持する第３型の棒状支持部との、３種類の棒状支持部から構成されてもよい。
【００６１】
（２）図７を用いて説明した、上記の実施の形態１の変形形態において、第２型の棒状支持部２１が、両側で異なる外部接続ケーブル７の列を支持し、第２型の棒状支持部２１が一方側で支持する列の外部接続ケーブル７と、第２型の棒状支持部２１が他方側で支持する列の外部接続ケーブルとは、上下方向に見た場合に、第２型の棒状支持部２１の延出方向に互い違いに配置されている場合を例として説明した。しかし、本発明の実施の形態はこれに限定されない。すなわち、上記の各実施の形態において、第１型の棒状支持部２０が、両側で異なる外部接続ケーブル７の列を支持し、外部接続ケーブル７が互い違いに配置されるように構成されてもよく、実施の形態２、３において、第２型の棒状支持部２１が、両側で異なる外部接続ケーブル７の列を支持し、外部接続ケーブル７が互い違いに配置されるように構成されてもよい。
【００６２】
（３）上記の各実施の形態においては、外部接続ケーブル７は、複数本の外部接続ケーブル７がひとまとまりの束状にされた外部接続ケーブル７の束の単位で、一列に並べられ、棒状支持部に支持されている場合を例として説明した。しかし、本発明の実施の形態はこれに限定されない。すなわち、外部接続ケーブル７は、一本ずつの単位で、一列に並べられ、棒状支持部に支持されてもよい。
【００６３】
なお、本発明は、その発明の範囲内において、実施の形態を適宜、変形、省略したりすることが可能である。
【符号の説明】
【００６４】
１  フレーム、２  機能ユニット、７  外部接続ケーブル、９  第１型のケーブル支持部材、１０  第２型のケーブル支持部材、１１  ケーブル支持部材、１２  ケーブル支持部材、２０  第１型の棒状支持部、２１  第２型の棒状支持部、４５  第１型の棒状支持部材、４６  第２型の棒状支持部材、４７  第１の連結部材、４８  第２の連結部材
【図１】
2018122941.tif 000003
【図２】
2018122941.tif 000004
【図３】
2018122941.tif 000005
【図４】
2018122941.tif 000006
【図５】
2018122941.tif 000007
【図６】
2018122941.tif 000008
【図７】
2018122941.tif 000009
【図８】
2018122941.tif 000010
【図９】
2018122941.tif 000011
【図１０】
2018122941.tif 000012
【図１１】
2018122941.tif 000013
【図１２】
2018122941.tif 000014
【図１３】
2018122941.tif 000015
【図１４】
2018122941.tif 000016
【図１５】
2018122941.tif 000017
【図１６】
2018122941.tif 000018
【図１７】
2018122941.tif 000019
【図１８】
2018122941.tif 000020
【図１９】
2018122941.tif 000021
【図２０】
2018122941.tif 000022
【図２１】
2018122941.tif 000023
【手続補正書】
【提出日】平成29年6月7日(2017.6.7)
【手続補正１】
【補正対象書類名】特許請求の範囲
【補正対象項目名】全文
【補正方法】変更
【補正の内容】
【特許請求の範囲】
【請求項１】
フレームと、
上下方向に複数段に配置され、前記フレームに固定された複数の機能ユニットと、
上下方向に延びて、前記複数の機能ユニットのそれぞれと外部機器とを接続する複数の外部接続ケーブルと、
前記フレームに固定され、前記外部接続ケーブルを支持するケーブル支持機構と、を備えたコントロールセンタであって、
前記ケーブル支持機構は、互いに平行な状態で水平方向に一列に並べられた複数の前記外部接続ケーブルを支持する、水平方向に延びる棒状の棒状支持部を有し、
前記棒状支持部は、支持する前記外部接続ケーブルの列が互いに異なる複数種類の前記棒状支持部から構成され、各種類の前記棒状支持部は、複数設けられ、上下方向に間隔を空けて配置され、
前記ケーブル支持機構は、各種類の前記棒状支持部をそれぞれ１つずつ有する複数種類のケーブル支持部材から構成され、各種類の前記ケーブル支持部材は、複数設けられ、上下方向に互いに間隔を空けて互い違いに配置されているコントロールセンタ。
【請求項２】
フレームと、
上下方向に複数段に配置され、前記フレームに固定された複数の機能ユニットと、
上下方向に延びて、前記複数の機能ユニットのそれぞれと外部機器とを接続する複数の外部接続ケーブルと、
前記フレームに固定され、前記外部接続ケーブルを支持するケーブル支持機構と、を備えたコントロールセンタであって、
前記ケーブル支持機構は、互いに平行な状態で水平方向に一列に並べられた複数の前記外部接続ケーブルを支持する、水平方向に延びる棒状の棒状支持部を有し、
前記棒状支持部は、支持する前記外部接続ケーブルの列が互いに異なる複数種類の前記棒状支持部から構成され、各種類の前記棒状支持部は、複数設けられ、上下方向に間隔を空けて配置され、
前記ケーブル支持機構は、全ての種類の前記棒状支持部を有する１種類のケーブル支持部材から構成され、前記ケーブル支持部材は、複数設けられ、上下方向に間隔を空けて配置され、
前記１種類のケーブル支持部材は、複数の前記棒状支持部のそれぞれを構成する複数の棒状支持部材と、複数の前記棒状支持部材の間を連結する複数の連結部材と、が締結部材により連結されて構成されているコントロールセンタ。
【請求項３】
各種類の前記棒状支持部は、上下方向に見た場合に、水平方向に互いに間隔が空き、平行になるように配置され、
上下方向に見た場合に、隣り合う２つの前記棒状支持部の間になる空間に、隣り合う一方の前記棒状支持部が支持する前記外部接続ケーブルの列と、隣り合う他方の前記棒状支持部が支持する前記外部接続ケーブルの列と、が配置されている請求項１又は２に記載のコントロールセンタ。
【請求項４】
前記隣り合う一方の前記棒状支持部が支持する列の前記外部接続ケーブルと、前記隣り合う他方の前記棒状支持部が支持する列の前記外部接続ケーブルとは、上下方向に見た場合に、前記棒状支持部の延出方向に互いに間隔を空けて互い違いに配置されている請求項３に記載のコントロールセンタ。
【請求項５】
前記棒状支持部は、両側で異なる前記外部接続ケーブルの列を支持し、
前記棒状支持部が一方側で支持する列の前記外部接続ケーブルと、前記棒状支持部が他方側で支持する列の前記外部接続ケーブルとは、上下方向に見た場合に、前記棒状支持部の延出方向に互い違いに配置されている請求項４に記載のコントロールセンタ。
【請求項６】
前記外部接続ケーブルは、前記機能ユニットのそれぞれに接続される複数本の前記外部接続ケーブルがひとまとまりの束状にされた前記外部接続ケーブルの束の単位で、一列に並べられ、前記棒状支持部に支持されている請求項１から５のいずれか一項に記載のコントロールセンタ。
【請求項７】
前記外部機器は、三相交流モータであり、
１つの前記機能ユニットは、１つの前記三相交流モータを駆動制御するインバータを有し、
前記外部接続ケーブルは、１つの前記機能ユニットの前記インバータと１つの前記三相交流モータの三相コイルとを接続する３本又は４本の前記外部接続ケーブルがひとまとまりの束状された前記外部接続ケーブルの束の単位で、一列に並べられ、前記棒状支持部に支持されている請求項６に記載のコントロールセンタ。 
【手続補正２】
【補正対象書類名】明細書
【補正対象項目名】０００９
【補正方法】変更
【補正の内容】
【０００９】
本発明に係るコントロールセンタは、フレームと、上下方向に複数段に配置され、前記フレームに固定された複数の機能ユニットと、上下方向に延びて、前記複数の機能ユニットのそれぞれと外部機器とを接続する複数の外部接続ケーブルと、前記フレームに固定され、前記外部接続ケーブルを支持するケーブル支持機構と、を備えたコントロールセンタであって、前記ケーブル支持機構は、互いに平行な状態で水平方向に一列に並べられた複数の前記外部接続ケーブルを支持する、水平方向に延びる棒状の棒状支持部を有し、前記棒状支持部は、支持する前記外部接続ケーブルの列が互いに異なる複数種類の前記棒状支持部から構成され、各種類の前記棒状支持部は、複数設けられ、上下方向に間隔を空けて配置され、前記ケーブル支持機構は、各種類の前記棒状支持部をそれぞれ１つずつ有する複数種類のケーブル支持部材から構成され、各種類の前記ケーブル支持部材は、複数設けられ、上下方向に互いに間隔を空けて互い違いに配置されているものである。
【国際調査報告】
2018122941.tif 000024
2018122941.tif 000025
2018122941.tif 000026
2018122941.tif 000027